(57)【要約】【課題】中継方式を使用する無線通信システムにおける中継局のＡＣＫ／ＮＡＣＫメッセージを送信するための装置及びその方法を提供する。【解決手段】中継局が、下位ノードからのデータを送信するためのスケジューリング情報を確認する過程と、前記スケジューリング情報に従って、前記下位ノードからデータを受信する過程と、前記データに対するエラー発生の有無を確認する過程と、前記データのエラー発生の有無を表す情報を生成する過程と、前記生成された情報を上位ノードに送信する過程と、を含む。【選択図】図２
2008211803.tif 000002
【特許請求の範囲】
【請求項１】
中継方式を使用する無線通信システムにおける中継局の再送信方法であって、
下位ノードがデータを送信するためのスケジューリング情報を確認する過程と、
前記スケジューリング情報に従って、前記下位ノードからデータを受信する過程と、
前記データに対するエラー発生の有無を確認する過程と、
前記データのエラー発生の有無を表す情報を生成する過程と、
前記生成された情報を上位ノードに送信する過程と、を含むことを特徴とする方法。
【請求項２】
前記スケジューリング情報を確認する過程は、
前記上位ノードから前記スケジューリング情報を受信する過程を含むことを特徴とする請求項１に記載の方法。
【請求項３】
前記スケジューリング情報を確認する過程は、
前記上位ノードから前記下位ノードに送信されるスケジューリング情報を聴取して、前記スケジューリング情報を確認する過程を含むことを特徴とする請求項１に記載の方法。
【請求項４】
前記エラー発生の有無を表す情報は、エラー発生の有無を報告するために定義された物理チャネル、制御メッセージ、ＭＡＣ（Ｍｅｄｉａ  Ａｃｃｅｓｓ  Ｃｏｎｔｒｏｌ）サブヘッダ、ＭＡＣヘッダのうちのいずれか一つの形態で構成されることを特徴とする請求項１に記載の方法。
【請求項５】
前記エラー発生の有無を表す情報は、前記中継局の識別子情報、前記中継局にデータを送信した下位ノードの識別子情報、前記下位ノードから受信されたデータブロックを区分するための固有のシーケンス値情報、前記シーケンス値に従ったデータブロックのエラー発生の有無を表す指示情報のうち、少なくとも１つを含むことを特徴とする請求項１に記載の方法。
【請求項６】
前記指示情報は、
前記データにエラーが発生した場合に、エラー発生情報を表すＮＡＣＫを含み、前記データにエラーが発生しない場合には、エラーがないことを表すＡＣＫを含むことを特徴とする請求項５に記載の方法。
【請求項７】
前記エラー発生の有無を表す情報は、ＭＡＣ再送信を行う場合に、前記中継局の接続識別子（Ｃｏｎｎｅｃｔｉｏｎ  ＩＤ）情報、前記中継局にデータを送信した下位ノードの接続識別子情報、前記下位ノードから受信されたデータブロックを区分するための固有のシーケンス値を表すＢＳＮ（Ｂｌｏｃｋ  Ｓｅｑｕｅｎｃｅ  Ｎｕｍｂｅｒ）情報、再送信技法の種類情報、前記ＢＳＮに従ったデータブロックのエラー発生の有無を表す指示情報のうち、少なくとも１つを含むことを特徴とする請求項１に記載の方法。
【請求項８】
前記エラー発生の有無を表す情報は、物理階層の再送信を行う場合に、前記中継局の接続識別子情報、前記中継局にデータを送信した下位ノードの接続識別子情報、前記下位ノードから受信されたデータブロックの固有のシーケンス値を表すために、データチャネルの固有番号を表すＡＣＩＤ（ＨＡＲＱ  Ｃｈａｎｎｅｌ  ＩＤ）情報、前記ＡＣＩＤ内でサブデータブロックの固有番号を表すＳＰＩＤ（Ｓｕｂ  Ｐａｃｋｅｔ  ＩＤ）情報、前記データが再送信されたか否かを表すＡＩ＿ＳＮ（ＡＲＱ  Ｉｄｅｎｄｉｆｉｅｒ＿Ｓｅｑｕｅｎｃｅ  Ｎｕｍｂｅｒ）情報、再送信技法の種類情報、データブロックのエラー発生の有無を表す指示情報のうち、少なくとも１つを含むことを特徴とする請求項１に記載の方法。
【請求項９】
前記エラー発生の有無を表す情報は、フレーム構造に応じてアップリンクサブフレームにデータのエラー発生の有無を表すメッセージを送信するために割り当てられた領域を介して、前記上位ノードに送信されることを特徴とする請求項１に記載の方法。
【請求項１０】
前記生成された情報を送信する過程は、
前記上位ノードから受信されたスケジューリング情報から、前記エラー発生の有無を表す情報を送信するための制御情報を確認する過程と、
前記制御情報に従って、前記エラー発生の有無を表す情報を前記上位ノードに送信する過程と
を含むことを特徴とする請求項１に記載の方法。
【請求項１１】
前記制御情報は、前記エラー発生の有無を表す情報を送信するための時点情報と、前記エラー発生の有無を表す情報を送信するための資源割り当て情報と、のうち少なくとも１つを含むことを特徴とする請求項１０に記載の方法。
【請求項１２】
前記上位ノードにデータにエラーがないことを知らせるＡＣＫを送信した場合に、前記上位ノードから受信されるスケジューリング情報を確認する過程と、
前記スケジューリング情報に従って、前記下位ノードから受信されたデータを前記上位ノードに送信する過程と、
前記上位ノードから再送信要請信号が受信される場合に、前記データを前記上位ノードに再送信する過程と、をさらに含むことを特徴とする請求項１に記載の方法。
【請求項１３】
前記データを再送信する過程は、
前記上位ノードからＮＡＣＫが受信される場合に、前記上位ノードから受信されるデータを再送信するためのスケジューリング情報を確認する過程と、
前記スケジューリング情報に従って、前記データを前記上位ノードに再送信する過程と、を含むことを特徴とする請求項１２に記載の方法。
【請求項１４】
前記データを再送信する過程は、
データを再送信するためのスケジューリング情報が前記上位ノードから受信される場合に、前記スケジューリング情報に従って前記データを前記上位ノードに再送信する過程を含むことを特徴とする請求項１２に記載の方法。
【請求項１５】
データの再送信を行う場合に、前記再送信のための有効時間を確認する過程と、
前記有効時間が満了すると、前記データの再送信を終了する過程と、
をさらに含むことを特徴とする請求項１２に記載の方法。
【請求項１６】
中継方式を使用する無線通信システムにおける基地局の再送信方法であって、
中継局が下位ノードから受信されたデータのエラー発生の有無を表す情報を送信するためのスケジューリング情報を、前記中継局に送信する過程と、
前記スケジューリング情報に従って、前記中継局からエラー発生の有無を表す情報が受信されているか否かを確認する過程と、
前記中継局からエラー発生の有無を表す情報が受信されると、当該エラー発生の有無を表す情報から、前記中継局で下位ノードから受信されたデータにエラーが発生したか否かを確認する過程と、
を含むことを特徴とする方法。
【請求項１７】
前記下位ノードがデータを送信するためのスケジューリング情報を、前記下位ノードと中継局のうち少なくとも一つのノードに送信する過程をさらに含み、
前記下位ノードがデータを送信する時点を考慮して、前記エラー発生の有無を表す情報の送信のためのスケジューリング情報を前記中継局に送信する過程を含むことを特徴とする請求項１６に記載の方法。
【請求項１８】
前記エラー発生の有無を表す情報は、エラー発生の有無を報告するために定義された物理チャネル、制御メッセージ、ＭＡＣ（Ｍｅｄｉａ  Ａｃｃｅｓｓ  Ｃｏｎｔｒｏｌ）サブヘッダ、ＭＡＣヘッダのうちのいずれか一つの形態で構成されることを特徴とする請求項１６に記載の方法。
【請求項１９】
前記エラー発生の有無を表す情報は、前記エラー発生の有無を表す情報を送信する中継局の識別子情報、前記中継局にデータを送信した下位ノードの識別子情報、前記下位ノードから受信されたデータブロックを区分するための固有のシーケンス値情報、前記シーケンス値に従ったデータブロックのエラー発生の有無を表す指示情報のうち、少なくとも１つを含むことを特徴とする請求項１６に記載の方法。
【請求項２０】
前記エラー発生の有無を表す情報は、ＭＡＣ再送信を行う場合に、前記エラー発生の有無を表す情報を送信する中継局の接続識別子情報、前記中継局にデータを送信した下位ノードの接続識別子情報、前記下位ノードから受信されたデータブロックを区分するための固有のシーケンス値を表すＢＳＮ情報、再送信技法の種類情報、前記ＢＳＮに従ったデータブロックのエラー発生の有無を表す指示情報のうち、少なくとも１つを含むことを特徴とする請求項１６に記載の方法。
【請求項２１】
前記エラー発生の有無を表す情報は、物理階層の再送信を行う場合に、前記エラー発生の有無を表す情報を送信する中継局の接続識別子情報、前記中継局にデータを送信した下位ノードの接続識別子情報、前記下位ノードから受信されたデータブロックの固有のシーケンス値を表すために、データチャネルの固有番号を表すＡＣＩＤ（ＨＡＲＱ  Ｃｈａｎｎｅｌ  ＩＤ）情報、前記ＡＣＩＤ内でサブデータブロックの固有番号を表すＳＰＩＤ（Ｓｕｂ  Ｐａｃｋｅｔ  ＩＤ）情報、前記データが再送信されたか否かを表すＡＩ＿ＳＮ（ＡＲＱ  Ｉｄｅｎｄｉｆｉｅｒ＿Ｓｅｑｕｅｎｃｅ  Ｎｕｍｂｅｒ）情報、再送信技法の種類情報、データブロックのエラー発生の有無を表す指示情報のうち、少なくとも１つを含むことを特徴とする請求項１６に記載の方法。
【請求項２２】
前記中継局からデータにエラーがないことを表すＡＣＫが受信された場合に、前記中継局が前記下位ノードから受信されたデータを送信できるように、スケジューリング情報を前記中継局に送信する過程と、
前記スケジューリング情報に従って前記中継局からデータが受信されると、前記データに対するエラー発生の有無を確認する過程と、
前記データにエラーが発生した場合に、前記中継局に前記データに対する再送信を要請する過程と、
をさらに含むことを特徴とする請求項１６に記載の方法。
【請求項２３】
前記中継局に再送信を要請する過程は、
前記中継局にエラーが発生したことを知らせるＮＡＣＫを送信する過程と、
前記データを再送信するためのスケジューリング情報を前記中継局に送信する過程と、
を含むことを特徴とする請求項２２に記載の方法。
【請求項２４】
前記中継局に再送信を要請する過程は、
前記データを再送信するためのスケジューリング情報を前記中継局に送信する過程を含むことを特徴とする請求項２２に記載の方法。
【請求項２５】
データの再送信を行う場合、当該再送信のための有効時間を確認する過程と、
前記有効時間が満了すると、前記データの再送信を終了する過程と、
をさらに含むことを特徴とする請求項２２に記載の方法。
【請求項２６】
前記中継局から受信されたデータにエラーが発生しない場合に、当該データにエラーが発生しなかったことを表す情報を、前記中継局と下位ノードのうち、少なくとも一つのノードに送信する過程をさらに含むことを特徴とする請求項２２に記載の方法。
【請求項２７】
前記エラー発生の有無を表す情報の送信のためのスケジューリング情報は、前記中継局が前記下位ノードから受信したデータに対するエラー発生の有無を表す情報を送信するための時点情報と、エラー発生の有無を表す情報を送信するための資源割り当て情報と、のうち少なくとも１つを含むことを特徴とする請求項１６に記載の方法。
【請求項２８】
前記中継局からデータにエラーがないことを表すＡＣＫが受信された場合に、前記端末に、前記データにエラーが発生しなかったことを知らせるＡＣＫを送信する過程をさらに含むことを特徴とする請求項１６に記載の方法。
【請求項２９】
中継方式を使用する無線通信システムにおける中継局の再送信装置であって、
下位ノードから受信されるデータのエラーを検査するための検査部と、
前記エラーのないデータを格納するためのデータキューと、
上位ノードからの再送信要請に応じて、前記データの再送信を制御するための再送信制御機と、
前記下位ノードから受信されるデータのエラー発生の有無を表す情報を生成するための情報生成部と、
前記エラー発生の有無を表す情報を上位ノードに送信するための送信部と、
を備えることを特徴とする装置。
【請求項３０】
前記情報生成部は、エラー発生の有無を報告するために定義された物理チャネル、制御メッセージ、ＭＡＣ（Ｍｅｄｉａ  Ａｃｃｅｓｓ  Ｃｏｎｔｒｏｌ）サブヘッダ、ＭＡＣヘッダのうちのいずれか一つの形態で、エラー発生の有無を表す情報を生成することを特徴とする請求項２９に記載の装置。
【請求項３１】
前記情報生成部は、前記中継局の識別子情報、前記中継局にデータを送信した下位ノードの識別子情報、前記下位ノードから受信されたデータブロックを区分するための固有のシーケンス値情報、前記シーケンス値に従ったデータブロックのエラー発生の有無を表す指示情報のうち、少なくとも１つを含むエラー発生の有無を表す情報を生成することを特徴とする請求項２９に記載の装置。
【請求項３２】
前記情報生成部は、ＭＡＣ再送信を行う場合に、前記中継局の接続識別子情報、前記中継局にデータを送信した下位ノードの接続識別子情報、前記下位ノードから受信されたデータブロックを区分するための固有のシーケンス値を表すＢＳＮ情報、再送信技法の種類情報、前記ＢＳＮに従ったデータブロックのエラー発生の有無を表す指示情報のうち、少なくとも１つを含むエラー発生の有無を表す情報を生成することを特徴とする請求項２９に記載の装置。
【請求項３３】
前記情報生成部は、物理階層の再送信を行う場合に、前記中継局の接続識別子情報、前記中継局にデータを送信した下位ノードの接続識別子情報、前記下位ノードから受信されたデータブロックの固有のシーケンス値を表すために、データチャネルの固有番号を表すＡＣＩＤ（ＨＡＲＱ  Ｃｈａｎｎｅｌ  ＩＤ）情報、前記ＡＣＩＤ内でサブデータブロックの固有番号を表すＳＰＩＤ（Ｓｕｂ  Ｐａｃｋｅｔ  ＩＤ）情報、前記データが再送信されたか否かを表すＡＩ＿ＳＮ（ＡＲＱ  Ｉｄｅｎｄｉｆｉｅｒ＿Ｓｅｑｕｅｎｃｅ  Ｎｕｍｂｅｒ）情報、再送信技法の種類情報、データブロックのエラー発生の有無を表す指示情報のうち、少なくとも１つを含むエラー発生の有無を表す情報を生成することを特徴とする請求項２９に記載の装置。
【請求項３４】
前記再送信制御機の制御下において、前記データキューに格納されたデータを用いて、前記基地局に再送信するためのデータを生成するデータ生成部をさらに備え、
前記送信部は、前記データ生成部で生成されたデータを前記基地局に送信することを特徴とする請求項２９に記載の装置。
【請求項３５】
前記データの再送信を行う場合に、再送信のための有効時間を管理する再送信タイマーをさらに備え、
前記再送信制御機は、前記再送信有効時間が終了する場合に、前記データの再送信を終了することを特徴とする請求項２９に記載の装置。
【発明の詳細な説明】
【技術分野】
【０００１】
本発明は、無線通信システムにおいて自動再送信要請（Ａｕｔｏｍａｔｉｃ  Ｒｅｔｒａｎｓｍｉｓｓｉｏｎ  ｒｅＱｕｅｓｔ：以下、ＡＲＱと略する）を行うための装置及び方法に関し、特に、中継方式を使用する無線通信システムの中継局でＡＣＫ又はＮＡＣＫ情報をアップリンクに送信するための装置及び方法に関する。
【背景技術】
【０００２】
無線通信システムにおいては、データを送信する無線資源のチャネル状態により、データのエラーが発生しうる。このようなエラーに対する制御及び復元技術は、大きく、ＡＲＱ技法とＦＥＣ（Ｆoward  Ｅｒｒｏｒ  Ｃorrection）技法とに分けられる。ここで、ＡＲＱ技法は、受信端で損失されたデータの再送信を送信端に要請する技法である。一方、ＦＥＣ技法は、受信端で損失されたデータに対するエラーを訂正する技法である。
【０００３】
無線通信システムにおいてＡＲＱ技法を使用する場合に、受信端は、受信されたパケットを復号してエラーが発生したか否かを確認する。このとき、受信されたパケットにエラーが発生していない場合には、受信端は、送信端にＡＣＫ信号を送信する。一方、受信されたパケットにエラーが発生した場合には、受信端は、送信端にＮＡＣＫ信号を送信する。
【０００４】
送信端は、受信端からＡＣＫ信号が受信されると、新たなパケットを送信する。一方、受信端からＮＡＣＫ信号が受信されると、送信端は、受信端にエラーが発生したパケットを再送信する。
【０００５】
上述のような無線通信システムのＡＲＱ技法は、図１に示したように行われる。
【０００６】
図１は、従来の技術による無線通信システムの再送信手順を示している。
【０００７】
図１に示すように、無線通信システムの基地局１００は、端末１０２にアップリンクデータを送信するためのスケジューリング情報を送信する（ステップＳ１１１）。
【０００８】
端末１０２は、スケジューリング情報が受信されると、当該スケジューリング情報に従って基地局１００にアップリンクデータを送信する（ステップＳ１１３）。
【０００９】
以後、基地局１００は、端末１０２から受信したアップリンクデータのエラー検査を行う（ステップＳ１１５）。
【００１０】
このとき、アップリンクデータにエラーが発生した場合には、基地局１００は、端末１０２にアップリンクデータの再送信を要請するＮＡＣＫメッセージを送信する(ステップＳ１１７）。
【００１１】
続いて、基地局１００は、当該データを再送信するためのスケジューリング情報を端末１０２に送信する（ステップＳ１１９）。
【００１２】
端末１０２は、当該スケジューリング情報が受信されると、このスケジューリング情報に従って基地局１００にアップリンクデータを再送信する（ステップＳ１２１）。
【００１３】
続いて、基地局１００は、端末１０２から受信したデータのエラー検査を行う（ステップＳ１２３）。
【００１４】
ここで、当該アップリンクデータにエラーがない場合には、基地局１００は、端末１０２にＡＣＫメッセージを送信する（ステップＳ１２５）。
【００１５】
近年、無線通信システムは、セルのエッジ（境界）や陰影地域に位置する端末にさらに優れた無線チャネルを提供するために、中継局を用いた中継方式を使用する。すなわち、中継方式を使用する無線通信システムは、中継局を用いて基地局と端末との間で送受信するデータを中継することにより、基地局と端末との間にさらに優れた無線チャネルを提供することができる。
【００１６】
したがって、中継方式を使用する無線通信システムでは、中継局を用いたＡＲＱの遂行方法が必要とされる。
【特許文献１】韓国特許公開公報第2006-0076904号
【発明の開示】
【発明が解決しようとする課題】
【００１７】
本発明は、上述の問題点に鑑みてなされたもので、その目的は、中継方式を使用する無線通信システムにおいて自動再送信要請を行うための装置及び方法を提供することにある。
【００１８】
本発明の他の目的は、中継方式を使用する無線通信システムの中継局においてアップリンク中継データに対するエラー発生の有無を基地局に報告するための装置及び方法を提供することにある。
【課題を解決するための手段】
【００１９】
上記の目的を達成すべく、本発明による中継方式を使用する無線通信システムにおける中継局の再送信方法は、中継局が、下位ノードからのデータを送信するためのスケジューリング情報を確認する過程と、前記スケジューリング情報に従って、前記下位ノードからデータを受信する過程と、前記データに対するエラー発生の有無を確認する過程と、前記データのエラー発生の有無を表す情報を生成する過程と、前記生成した情報を上位ノードに送信する過程と、を含むことを特徴とする。
【００２０】
また、本発明による中継方式を使用する無線通信システムにおける基地局の再送信方法は、中継局が下位ノードから受信されたデータのエラー発生の有無を表す情報を送信するためのスケジューリング情報を、前記中継局に送信する過程と、前記スケジューリング情報に従って、前記中継局からエラー発生の有無を表す情報が受信されているか否かを確認する過程と、前記中継局からエラー発生の有無を表す情報が受信されると、当該エラー発生の有無を表す情報から、前記中継局で下位ノードから受信されたデータにエラーが発生したか否を確認する過程と、を含むことを特徴とする。
【００２１】
また、本発明による中継方式を使用する無線通信システムにおける中継局の再送信装置は、下位ノードから受信されるデータのエラーを検査する検査部と、前記エラーのないデータを格納するためのデータキューと、上位ノードからの再送信要請に応じて、前記データの再送信を制御する再送信制御機と、前記下位ノードから受信されるデータのエラー発生の有無を表す情報を生成する情報生成部と、前記エラー発生の有無を表す情報を上位ノードに送信する送信部と、を備えることを特徴とする。
【発明の効果】
【００２２】
本発明によれば、中継方式を使用する無線通信システムの中継局が、端末から受信したアップリンク信号に対するエラー発生の有無を基地局に報告して自動再送信要請（ＡＲＱ：Ａｕｔｏｍａｔｉｃ  Ｒｅｔｒａｎｓｍｉｓｓｉｏｎ  ｒｅＱｕｅｓｔ）を行うことによって、基地局は、中継局からエラーのない信号のみを受信して、無線資源の浪費を減少することができる。
【発明を実施するための最良の形態】
【００２３】
以下、本発明の好ましい実施の形態を、添付図面に基づき詳細に説明する。そして、本発明を説明するにあたり、関連した公知機能又は構成に対する具体的な説明が本発明の要旨を不明にすると判断される場合には、その詳細な説明は省略する。
【００２４】
以下、本発明の実施形態として、中継方式を使用する無線通信システムにおいてＡＲＱを行う場合に、中継局で中継データのエラー発生の有無を上位ノードに報告するための技術について説明する。換言すると、中継方式を使用する無線通信システムの中継局が、下位ノードから受信したアップリンクデータのエラー発生の有無を、ＡＣＫ／ＮＡＣＫ情報を用いて上位ノードに報告するための技術について説明する。ここで、上位ノードは、基地局又は上位中継局を意味するが、以下の説明では、基地局を例に挙げて説明する。また、下位ノードは、端末又は下位中継局を意味するが、以下の説明では端末を例に挙げて説明する。
【００２５】
以下の説明では、直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式を使用する無線通信システムを例に挙げて説明するが、本発明は、他の多重接続方式の通信システムにも同様に適用可能である。
【００２６】
中継方式の無線通信システムでは、図２に示すように、中継局を用いて基地局と端末との間で送受信される信号を中継する。
【００２７】
図２は、本発明の実施の形態による中継方式を使用する無線通信システムの構成を示している。
【００２８】
図２を参照すると、無線通信システムにおいて基地局２００のサービス領域に含まれる端末２２０は、基地局２００と直接リンクを介して、該基地局２００からサービスを提供される。しかしながら、端末２２０が基地局２００のサービス領域の外郭（すなわちセルの境界域）に位置する場合には、基地局２００と端末２２０との間のチャネル状態が劣悪であるため、基地局２００は、高速のデータチャネルを端末２２０に提供することができない。
【００２９】
したがって、基地局２００は、中継局２１０を経由することによって、端末２２０のようにチャネル状態の劣悪な端末に高速のデータチャネルを提供する。例えば、ダウンリンクの場合に、端末２２０は、中継局２１０を介して基地局２００からの高速のデータを受信する。このとき、端末２２０は、基地局２００のサービス領域に含まれるので、直接リンクを介して基地局２００から制御信号及び低速のデータを受信することもできる。
【００３０】
他の例では、アップリンクの場合に、基地局２００は、中継局２１０を介して端末２２０からの高速のデータを受信する。このとき、基地局２００は、直接のリンクを介して、端末２２０から送信される低速のデータチャネルを受信することもできる。
【００３１】
上述のように、中継方式を使用する無線通信システムにおいて、基地局、中継局、及び端末は、互いに通信を行うことができる。このとき、端末と基地局とは、中継局を介してデータを送受信できる。
【００３２】
また、端末と基地局とは、中継局を経ずに直接リンクを介してデータを送受信することもできる。このとき、中継局は、端末と基地局とが送受信するデータを聴取（listen）して確認することができる。
【００３３】
上述のように、基地局は、端末又は中継局からアップリンクデータが提供されることができる。このとき、基地局は、端末と中継局のうち、データが受信される受信成功率の良いノードを選択して、アップリンクデータを提供されることができる。
【００３４】
また、基地局は、アップリンクデータのエラーを検出した場合に、端末と中継局のうち、受信成功率又はチャネル状態を確認して、当該アップリンクデータの再送信データを提供されるためのノードを選択することもできる。例えば、データを再送信する場合に、無線通信システムは、下記の図３に示すように動作する。以下の説明では、基地局が中継局からアップリンクデータとその再送信データを受信すると仮定して説明する。
【００３５】
図３は、本発明の実施の形態による中継方式を使用する無線通信システムにおいてアップリンク信号を再送信するための手順を示している。
【００３６】
図３に示すように、基地局３００は、端末３０４がアップリンクデータを送信するための資源に関するスケジューリング情報を、中継局３０２と端末３０４とに送信する（ステップＳ３１１、ステップＳ３１３）。例えば、基地局３００は、中継局３０２と端末３０４との両方にスケジューリング情報を送信するか、又は中継局３０２を介して端末３０４にスケジューリング情報を送信する。
【００３７】
他の実施の形態として、基地局３００は、端末３０４にのみスケジューリング情報を送信することもできる。この場合には、中継局３０２は、基地局３００が端末３０４に送信するスケジューリング情報を聴取して、端末３０４のアップリンクスケジューリング情報を確認することができる。ここで、スケジューリング情報は、アップリンクデータを送信するための資源を示す資源割り当て情報、ＭＣＳ（Ｍｏｄｕｌａｔｉｏｎ  ａｎｄ  Ｃｏｄｉｎｇ  Ｓｃｈｅｍｅ）情報、スケジューリング情報に従ってアップリンクデータを送信する端末の識別子情報、及びアップリンクデータの送信電力情報、を含む。
【００３８】
中継局３０２と端末３０４とは、基地局３００から受信されたスケジューリング情報から、端末３０４がデータを送信する時点及び資源割り当て情報を検出して確認する。
【００３９】
その後、端末３０４は、スケジューリング情報に従ってアップリンクデータを送信する（ステップＳ３１５、ステップＳ３１７）。例えば、端末３０４は、スケジューリング情報に応じてデータを中継局３０２に送信する（ステップＳ３１５）。他の例では、端末３０４は、中継局３０２を認識できずに基地局３００にデータを送信する（ステップＳ３１７）。このとき、中継局３０２は、スケジューリング情報に従って端末３０４が基地局３００に送信したデータを聴取して確認する。
【００４０】
中継局３０２は、端末３０４から受信されたデータのエラー検査を行う（ステップＳ３１９）。例えば、中継局３０２は、受信データのエラーチェックコード（ＣＲＣ：Ｃｙｃｌｉｃ  Ｒｅｄｕｎｄａｎｃｙ  Ｃｈｅｃｋ）を用いて、データのエラー検査を行う。
【００４１】
このとき、基地局３００は、中継局３０２がアップリンクデータに対するエラー発生の有無を報告できるように、スケジューリング情報を中継局３０２に送信する（ステップＳ３２１）。すなわち、基地局３００は、端末３０４のアップリンクスケジューリング情報に応じて、端末３０４がデータを送信する時点が分かる。したがって、基地局３００は、端末３０４のデータ送信時点を考慮して、中継局３０２に、ＡＣＫ／ＮＡＣＫ情報を送信するためのスケジューリング情報を送信する。しかしながら、無線通信システムにおいてエラー発生の有無を報告するためのＡＣＫ／ＮＡＣＫチャネルが基地局３００と中継局３０２との間で事前に設定された場合には、基地局３００は、中継局３０２にＡＣＫ／ＮＡＣＫ情報を送信するためのスケジューリング情報を提供しなくてもよい。
【００４２】
ここで、アップリンクデータにエラーが発生した場合には、中継局３０２は、基地局３００にＮＡＣＫ情報を送信する（ステップＳ３２３）。
【００４３】
基地局３００は、中継局３０２からのＮＡＣＫ情報を受信すると、端末３０４に、アップリンクデータの再送信を要請するＮＡＣＫメッセージを送信する（ステップＳ３２５）。
【００４４】
続いて、基地局３００は、端末３０４がエラーの発生したデータを再送信するためのスケジューリング情報を、中継局３０２と端末３０４とに送信する（ステップＳ３２７、ステップＳ３２９）。例えば、基地局３００は、中継局３０２と端末３０４との両方にスケジューリング情報を送信するか、又は中継局３０２を介して端末３０４にスケジューリング情報を送信する。
【００４５】
他の実施の形態として、基地局３００は、端末３０４にのみスケジューリング情報を送信することができる。このとき、中継局３０２は、基地局３００が端末３０４に送信するスケジューリング情報を聴取して確認することができる。
【００４６】
中継局３０２と端末３０４とは、基地局３００から受信したスケジューリング情報を用いて、端末３０４がデータを再送信するための時点及び当該データ再送信に関する資源割当情報を確認する。
【００４７】
スケジューリング情報を確認した端末３０４は、当該スケジューリング情報に従ってデータを再送信する（ステップＳ３３１、ステップＳ３３３）。例えば、端末３０４は、スケジューリング情報に応じてデータを中継局３０２に再送信する（ステップＳ３３１）。他の例では、端末３０４は、中継局３０２を認識できずに、基地局３００にデータを再送信する（ステップＳ３３３）。この場合に、中継局３０２は、スケジューリング情報に応じて端末３０４が基地局３００に再送信したデータを聴取して確認する。
【００４８】
次に、中継局３０２は、端末３０４から受信された再送信データのエラー検査を行う（ステップＳ３３５）。例えば、中継局３０２は、当該受信されたデータのエラーチェックコードを用いて、データのエラー検査を行う。
【００４９】
このとき、基地局３００は、中継局３０２が再送信データに対するエラー発生の有無を報告できるように、スケジューリング情報を中継局３０２に送信する（ステップＳ３３７）。すなわち、基地局３００は、端末３０４のアップリンクスケジューリング情報に応じて、端末３０４がデータを送信する時点が分かる。したがって、基地局３００は、端末３０４のデータ送信時点を考慮して、中継局３０２に、ＡＣＫ／ＮＡＣＫ情報を送信するためのスケジューリング情報を送信する。しかしながら、無線通信システムにおいてエラー発生の有無を報告するためのＡＣＫ／ＮＡＣＫチャネルが基地局３００と中継局３０２との間で事前に設定された場合には、基地局３００は、中継局３０２にＡＣＫ／ＮＡＣＫ情報を送信するためのスケジューリング情報を提供しなくてもよい。
【００５０】
ここで、アップリンクデータにエラーがない場合には、中継局３０２は、基地局３００にＡＣＫ情報を送信する（ステップＳ３３９）。
【００５１】
基地局３００は、中継局３０２からのＡＣＫ情報を受信すると、中継局３０２がアップリンクデータを送信するためのスケジューリング情報を、中継局３０２に送信する（ステップＳ３４１）。また、基地局３００は、中継局３０２からのＡＣＫ情報を受信すると、端末３０４にＡＣＫ情報を送信することもできる。
【００５２】
中継局３０２は、スケジューリング情報に応じて端末３０４から受信された再送信データを、基地局３００に送信する（ステップＳ３４３）。
【００５３】
基地局３００は、中継局３０２から受信された再送信データのエラー検査を行う（ステップＳ３４５）。例えば、基地局３００は、データのエラーチェックコードを用いて、データのエラー検査を行う。
【００５４】
ここで、データにエラーがない場合には、基地局３００は、中継局３０２と端末３０４とにＡＣＫメッセージを送信する（ステップＳ３４７、ステップＳ３４９）。例えば、基地局３００は、中継局３０２と端末３０４との両方にＡＣＫメッセージを送信するか、又は中継局３０２を介して端末３０４にＡＣＫメッセージを送信する。
【００５５】
他の実施の形態において、基地局３００は、端末３０４にのみＡＣＫメッセージを送信する。このとき、中継局３０２は、基地局３００が端末３０４に送信するＡＣＫメッセージを聴取して、基地局３００に送信されたデータにエラーがないことを確認する。また、中継局３０２は、基地局３００から一定時間の間にＮＡＣＫメッセージ又はデータを再送信するためのスケジューリング情報が受信されないと、基地局３００に送信されたデータにエラーがないものとみなす。
【００５６】
上述のように、基地局が中継局を介して端末のアップリンクデータを受信する場合に、中継局は、ＡＣＫ／ＮＡＣＫメッセージを用いて、端末から受信されたデータのエラー発生の有無を基地局に報告する。例えば、中継局は、端末から受信されたデータにエラーが発生すると、基地局にＮＡＣＫメッセージを送信する。また、中継局は、端末から受信したデータにエラーがない場合には、基地局にＡＣＫメッセージを送信する。
【００５７】
このとき、基地局は、中継局からＡＣＫ情報が受信されると、ＡＣＫ情報に対応するデータのためのスケジューリング情報を中継局に送信して、当該データを中継局から受信する。
【００５８】
一方、基地局は、中継局からＮＡＣＫ情報が受信されると、ＮＡＣＫ情報に対応するデータのためのスケジューリング情報を端末に送信して、データの再送信を要請する。
【００５９】
中継局は、端末から受信されたデータに対するエラー発生の有無を基地局に報告するために、基地局から受信されたスケジューリング情報に応じてＡＣＫ／ＮＡＣＫ情報を基地局に送信する。このとき、中継局は、エラー発生の有無を報告するために定義された物理チャネルを用いて、ＡＣＫ／ＮＡＣＫ情報を基地局に送信できる。また、中継局は、ＡＣＫ／ＮＡＣＫ情報を、制御メッセージの情報要素に含めて、基地局に送信することもできる。また、中継局は、データと共に送信可能なＭＡＣ（Ｍｅｄｉａ  Ａｃｃｅｓｓ  Ｃｏｎｔｒｏｌ）サブヘッダ（ｓｕｂ  ｈｅａｄｅｒ）又はＭＡＣヘッダにＡＣＫ／ＮＡＣＫ情報を含めて、基地局に送信することもできる。ここで、中継局が物理チャネルを使用する場合に、基地局は、物理チャネルに対するスケジューリング情報を中継局に提供しなければならない。しかしながら、物理チャネルが基地局と中継局との間で事前に設定された場合には、基地局は、物理チャネルに対するスケジューリング情報を中継局に提供しなくてもよい。また、中継局が制御メッセージ、ＭＡＣサブヘッダ、ＭＡＣヘッダを使用する場合に、中継局は、該基地局から受信されたスケジューリング情報に従って、ＡＣＫ／ＮＡＣＫ情報を基地局に送信する。
【００６０】
このとき、ＡＣＫ／ＮＡＣＫ情報を送信するメッセージは、ＡＣＫ／ＮＡＣＫ情報を送信する中継局のＩＤ情報、中継局にデータを送信した端末のＩＤ情報、端末から受信されたデータブロックを区分（識別）するための固有のシーケンス値情報、シーケンス値に応じるデータブロックのＡＣＫ／ＮＡＣＫ情報を表す指示情報、を選択的に含む。
【００６１】
無線通信システムの再送信技法は、大きく、ＭＡＣ階層で運用されるＭＡＣ再送信技法と、物理階層（ＰＨＹ：Ｐｈｙｓｉｃａｌ  ｌａｙｅｒ）で運用されるＰＨＹ再送信技法と、の２つがある。ここで、ＰＨＹ再送信技法をＨＡＲＱ（Ｈｙｂｒｉｄ  ＡＲＱ）と称することもある。
【００６２】
中継局がＭＡＣ再送信技法を使用する場合には、中継局は、制御メッセージ又はＭＡＣサブヘッダ又はＭＡＣヘッダを用いて、ＡＣＫ／ＮＡＣＫ情報を基地局に送信することができる。このとき、制御メッセージ、ＭＡＣサブヘッダ、及びＭＡＣヘッダは、ＡＣＫ／ＮＡＣＫ情報を送信する中継局に割り当てられた接続識別子情報（コネクションＩＤ）、中継局にデータを送信した端末に割り当てられた接続識別子情報、端末から受信されたデータブロックを区分（識別）するための固有のシーケンス値を表すＢＳＮ（Ｂｌｏｃｋ  Ｓｅｑｕｅｎｃｅ  Ｎｕｍｂｅｒ）情報、ＡＲＱ種類情報、及びＢＳＮに応じるデータブロックについてのＡＣＫ／ＮＡＣＫ情報を表す指示情報を表すためのビットマップ情報、を含んで構成される。
【００６３】
一方、中継局がＰＨＹ再送信技法を使用する場合には、中継局は、データのエラー発生の有無を報告するために定義された物理チャネル、制御メッセージ、ＭＡＣサブヘッダ、又はＭＡＣヘッダを用いて、ＡＣＫ／ＮＡＣＫ情報を基地局に送信できる。このとき、制御メッセージ、ＭＡＣサブヘッダ、及びＭＡＣヘッダは、ＡＣＫ／ＮＡＣＫ情報を基地局に送信する中継局に割り当てられた接続識別子情報、中継局にデータを送信した端末に割り当てられた接続識別子情報、端末から受信されたデータブロックの固有のシーケンス値を表すためにＨＡＲＱデータチャネルの固有番号を表すＡＣＩＤ（ＨＡＲＱ  Ｃｈａｎｎｅｌ  ＩＤ）情報、ＡＣＩＤ内でサブデータブロックの固有番号を表すＳＰＩＤ（Ｓｕｂ  Ｐａｃｋｅｔ  ＩＤ）情報、データが再送信されたかを表すＡＩ＿ＳＮ（ＡＲＱ  Ｉｄｅｎｄｉｆｉｅｒ＿Ｓｅｑｕｅｎｃｅ  Ｎｕｍｂｅｒ）情報、ＡＲＱ種類情報、データブロックのＡＣＫ／ＮＡＣＫ情報を表す指示情報を表すためのビットマップ情報、を含んで構成される。
【００６４】
中継局がＡＣＫ／ＮＡＣＫ情報を、物理チャネルを介して送信する場合に、中継局は、端末から受信された各々のデータブロックに対して、基地局により定められた規則に従うか、又は基地局が端末に送信したアップリンクデータのスケジューリング情報に従って、ＡＣＫ／ＮＡＣＫ情報を、ビットマップに配列して送信する。
【００６５】
上述のように、ＨＡＲＱを使用する場合、基地局は、端末から受信されたアップリンクデータに対するＡＣＫ／ＮＡＣＫ情報を中継局が送信するための資源を割り当てなければならない。例えば、基地局は、ＩＥＥＥ  ８０２．１６ｅ標準に定義されたアップリンクマップに含まれた情報要素のうち、ＨＡＲＱ  ＡＣＫ領域の割り当て情報要素と同じ形態の情報要素を使用して、中継局のためのＡＣＫ／ＮＡＣＫ情報領域を割り当てる。すなわち、基地局は、ＨＡＲＱ  ＡＣＫ領域の割り当て情報要素の拡張−２  ＵＩＵＣフィールドを他の値に変更することで、ＨＡＲＱ  ＡＣＫ領域の割り当て情報要素が中継局のＡＣＫ／ＮＡＣＫ情報領域についての資源割り当て情報を含んでいることを示すように設定する。
【００６６】
また、基地局は、ＩＥＥＥ８０２．１６ｅ標準に定義されたＵＣＤメッセージに新たな情報を追加することにより、中継局がＡＣＫ／ＮＡＣＫ情報を基地局に送信するための時点情報を中継局に送信する。
【００６７】
例えば、基地局は、中継局が端末からデータを受信した時点でｋフレーム後にデータに対するＡＣＫ／ＮＡＣＫ情報を送信することを要求するスケジューリング情報を、中継局に送信する。すなわち、中継局がｊ番目の物理フレームを介して端末からアップリンクデータを受信する場合に、中継局は、ｊ＋ｋ番目のフレームでＨＡＲＱ  ＡＣＫ領域割り当て情報要素を介して割り当てられた資源を用いて、端末から受信されたデータのＡＣＫ／ＮＡＣＫ情報を基地局に送信する。
【００６８】
以下、中継方式を使用する無線通信システムにおいてアップリンクデータの再送信を行う基地局の動作について説明する。
【００６９】
図４は、本発明の実施の形態による中継方式を使用する無線通信システムにおいて、アップリンク信号を再送信するための基地局の動作手順を示している。
【００７０】
図４を参照すると、まず基地局は、ステップＳ４０１において、端末がアップリンクデータを送信するためのスケジューリング情報を、中継局と端末とに送信する。例えば、基地局は、端末のスケジューリング情報を中継局と端末との両方に送信するか、又は中継局を介して端末に送信する。他の実施の形態において、基地局は、端末にのみスケジューリング情報を送信する。このとき、中継局は、基地局が端末に送信するスケジューリング情報を聴取して、端末のアップリンクスケジューリング情報を確認することができる。
【００７１】
端末のアップリンクスケジューリング情報を送信した後、基地局は、ステップＳ４０３に進んで、中継局がＡＣＫ／ＮＡＣＫメッセージを送信するためのスケジューリング情報を、中継局に送信する。このとき、基地局は、端末が中継局にデータを送信する時点を考慮して、ＡＣＫ／ＮＡＣＫメッセージのためのスケジューリング情報を中継局に送信する。ここで、基地局は、中継局との間でＡＫＣ／ＮＡＣＫメッセージを送信するためのチャネルが予め設定されている場合には、スケジューリング情報を送信しなくてもよい。
【００７２】
スケジューリング情報を送信した後、基地局は、ステップＳ４０５に進んで中継局からＡＣＫメッセージが受信されているか否かを確認する。このとき、基地局は、エラー発生の有無を報告するために定義された物理チャネルを介してＡＣＫメッセージを受信するか、又は制御メッセージ、ＭＡＣサブヘッダ、又はＭＡＣヘッダに含まれたＡＣＫメッセージを確認する。
【００７３】
ここで、ＡＣＫメッセージではなくＮＡＣＫメッセージが受信されている場合には、基地局は、ステップＳ４１５に進んで、端末にアップリンクデータの再送信を要請するＮＡＣＫメッセージを送信する。続いて、基地局は、ステップＳ４０１に戻って、当該データを再送信するためのスケジューリング情報を、中継局と端末とに送信する。
【００７４】
一方、ＡＣＫ情報が受信されている場合には、基地局は、ステップＳ４０７に進んで、中継局にアップリンクデータを送信するためのスケジューリング情報を送信する。これと同時に、基地局は、ＡＣＫメッセージを端末に送信することもできる。
【００７５】
スケジューリング情報を送信した後、基地局は、ステップＳ４０９に進んで、スケジューリング情報に従って中継局からデータを受信する。
【００７６】
データが受信されると、基地局は、ステップＳ４１１に進んで中継局から受信したデータのエラーを確認する。例えば、基地局は、エラーチェックコードを用いてデータのエラーを検査する。
【００７７】
ここで、データにエラーが発生した場合には、基地局は、ステップＳ４１７に進んで、データの再送信を要請するＮＡＣＫメッセージを中継局に送信する。以後、基地局は、ステップＳ４０７に進んで、中継局にデータを再送信するためのスケジューリング情報を送信する。
【００７８】
一方、データにエラーが発生していない場合には、基地局は、ステップＳ４１３に進んで、中継局又は端末にＡＣＫメッセージを送信する。例えば、基地局は、中継局と端末の両方にＡＣＫメッセージを送信するか、又は中継局にのみＡＣＫメッセージを送信する。また、基地局は、端末にのみＡＣＫメッセージを送信することもできる。
【００７９】
その後、基地局は、本アルゴリズムを終了する。
【００８０】
上述のように、基地局は、受信されたデータのエラーを検知した場合に、中継局又は端末に、データに対する再送信手順を行う。このとき、基地局は、再送信を行うための有効時間が満了すると、再送信手順を終了する。
【００８１】
上述した実施の形態において、基地局は、ＡＣＫ／ＮＡＣＫメッセージの送信のためのスケジューリング情報と、アップリンクデータの送信のためのスケジューリング情報と、を中継局に送信する。他の実施の形態においては、中継局が制御メッセージ、ＭＡＣサブヘッダ又はＭＡＣヘッダを用いてＡＣＫ／ＮＡＣＫ情報を送信する場合に、基地局は、アップリンクデータの送信のためのスケジューリング情報にＡＣＫ又はＮＡＣＫ情報の送信のためのスケジューリング情報を含めて送信する。
【００８２】
以下は、中継方式を使用する無線通信システムにおいてアップリンクデータの再送信を行う中継局の動作について説明する。
【００８３】
図５は、本発明の実施の形態による中継方式を使用する無線通信システムにおいてアップリンク信号を中継する中継局の動作手順を示している。
【００８４】
図５を参照すると、まず中継局は、ステップＳ５０１において端末のアップリンクスケジューリング情報を確認する。例えば、中継局は、基地局から端末のアップリンクスケジューリング情報を受信するか、又は基地局が端末に送信するアップリンクスケジューリング情報を聴取して確認する。
【００８５】
端末のスケジューリング情報を確認した後、中継局は、ステップＳ５０３に進んで、当該スケジューリング情報に従って端末からデータが受信されているか否かを確認する。
【００８６】
ここで、一定時間の間に端末からデータが受信されないと、中継局は、ステップＳ５０１に戻って端末のアップリンクスケジューリング情報を再度確認する。
【００８７】
一方、端末からデータが受信されると、中継局は、ステップＳ５０５に進んで、基地局から受信された、ＡＣＫ／ＮＡＣＫメッセージを送信するためのスケジューリング情報を確認する。
【００８８】
かかるスケジューリング情報を確認した後、中継局は、ステップＳ５０７に進んで、受信データのエラーを確認する。例えば、中継局は、エラーチェックコードを用いてデータのエラーを確認する。ここで、中継局は、ＡＣＫ／ＮＡＣＫメッセージを送信するためのスケジューリング情報確認手順（ステップＳ５０５）と受信データのエラー確認手順（ステップＳ５０７）との順序を変えて行うこともできる。
【００８９】
ここで、端末から受信したデータにエラーが発生すると、中継局は、ステップＳ５１７に進んで、ＡＣＫ／ＮＡＣＫメッセージを送信するためのスケジューリング情報に従って、基地局にＮＡＣＫメッセージを送信する。このとき、中継局は、エラー発生の有無を報告するために定義された物理チャネル、制御メッセージ、ＭＡＣサブヘッダ、又はＭＡＣヘッダを用いて、ＮＡＣＫメッセージを送信する。
【００９０】
その後、中継局は、ステップＳ５０１に戻って端末のアップリンクスケジューリング情報を確認する。
【００９１】
一方、端末から受信したデータにエラーがない場合には、中継局は、ステップＳ５０９に進んで、ＡＣＫ／ＮＡＣＫメッセージを送信するためのスケジューリング情報に従って、基地局にＡＣＫメッセージを送信する。このとき、中継局は、エラー発生の有無を報告するために定義された物理チャネル、制御メッセージ、ＭＡＣサブヘッダ、又はＭＡＣヘッダを用いて、ＡＣＫメッセージを送信する。
【００９２】
ＡＣＫメッセージを送信した後、中継局は、ステップＳ５１１に進んで、基地局から受信された、アップリンクデータを送信するためのスケジューリング情報を確認する。
【００９３】
かかるスケジューリング情報を確認した後、中継局は、ステップＳ５１３に進んで、当該スケジューリング情報に従って、端末から受信されたデータを基地局に送信する。
【００９４】
かかるデータを送信した後、中継局は、ステップＳ５１５に進んで、基地局から再送信要請信号が受信されているかを確認する。ここで、再送信要請信号は、ＮＡＣＫメッセージ又はデータを再送信するためのスケジューリング情報を表す。
【００９５】
ここで、基地局から再送信要請信号が受信されている場合には、中継局は、ステップＳ５１１に戻って、基地局から受信された、データを再送信するためのスケジューリング情報を確認する。例えば、中継局は、基地局からＮＡＣＫメッセージが受信されると、基地局に送信したデータにエラーが発生したと認識して、基地局から受信された、データを再送信するためのスケジューリング情報を確認する。
【００９６】
一方、基地局から再送信要請信号が受信されていない場合には、中継局は、本アルゴリズムを終了する。例えば、中継局は、基地局から再送信要請信号ではないＡＣＫメッセージが受信されている場合には、本アルゴリズムを終了する。ここで、中継局は、基地局が送信するＡＣＫメッセージを直接受信するか、又は基地局が端末に送信するＡＣＫメッセージを聴取して確認することもできる。
【００９７】
他の実施の形態において、中継局は、一定時間の間に基地局から再送信要請信号が受信されないと、基地局に送信したデータにエラーがないとみなして、本アルゴリズムを終了する。
【００９８】
上述のように、中継局は、基地局の再送信要請に応じてデータの再送信手順を行う。このとき、中継局は、再送信を行うための有効時間が満了すると、再送信手順を終了する。
【００９９】
無線通信システムでは、図６に示すように、ＡＣＫ又はＮＡＣＫ情報を送信するための領域を含むように、中継サービスを支援するためのフレームが構成される。
【０１００】
図６は、本発明の実施の形態による中継方式を使用する無線通信システムにおいてＡＣＫ／ＮＡＣＫ信号を送信するためのフレームの構成を示している。
【０１０１】
図６に示すように、フレーム６００は、ダウンリンクサブフレーム６１０とアップリンクサブフレーム６２０とで構成される。
【０１０２】
ダウンリンクサブフレーム６１０の間に、基地局は、当該ダウンリンクサブフレーム６１０の一部領域を割り当てられて、中継局と端末とにダウンリンクデータを送信する。また、中継局は、ダウンリンクサブフレーム６１０の他の一部領域を割り当てられて、端末にダウンリンクデータを送信する。
【０１０３】
このとき、基地局は、ダウンリンクサブフレーム６１０の第１領域６１１を割り当てられて、端末から受信されたアップリンクデータに対するＡＣＫ／ＮＡＣＫ情報を送信する。また、基地局は、ダウンリンクサブフレーム６１０の第２領域６１３を割り当てられて、中継局から受信されたアップリンクデータに対するＡＣＫ／ＮＡＣＫ情報を送信する。
【０１０４】
アップリンクサブフレーム６２０の間に、端末は、当該アップリンクサブフレーム６２０の一部領域を割り当てられて、基地局と中継局とにアップリンクデータを送信する。また、中継局は、アップリンクサブフレーム６２０の他の一部領域を割り当てられて、基地局にアップリンクデータを送信する。
【０１０５】
このとき、端末は、アップリンクサブフレーム６２０の第１領域６２１を割り当てられて、基地局から受信されたダウンリンクデータに対するＡＣＫ／ＮＡＣＫ情報を送信する。
【０１０６】
中継局は、アップリンクサブフレーム６２０の第３領域６２５を割り当てられて、基地局から受信されたダウンリンクデータに対するＡＣＫ／ＮＡＣＫ情報を送信する。また、中継局は、アップリンクサブフレーム６２０の第２領域６２３を割り当てられて、端末から受信されたアップリンクデータに対するＡＣＫ／ＮＡＣＫ情報を、基地局に送信する。ここで、中継局は、ＡＣＫ／ＮＡＣＫのため別途の物理チャネル、制御メッセージ、ＭＡＣサブヘッダ、ＭＡＣヘッダを用いて、ＡＣＫ／ＮＡＣＫ情報を送信することができる。
【０１０７】
以下は、上述した無線通信システムにおいてデータの再送信を行う基地局、中継局、及び端末のブロック構成について説明する。ここで、基地局、中継局及び端末は、同様に構成されるので、下記の図７に示すような中継局のブロック構成のみを説明する。したがって、基地局と端末のブロック構成についての説明は省略する。
【０１０８】
図７は、本発明の実施の形態による中継方式を使用する無線通信システムにおける中継局のブロック構成を示している。
【０１０９】
以下の説明において送信部７００と受信部７２０とは、互いに異なるアンテナを使用するものと仮定して説明するが、送信部７００と受信部７２０とは、一つのアンテナを使用（共有）することもできる。
【０１１０】
図７に示すように、中継局は、送信部７００、受信部７２０、及び、送信部７００と受信部７２０とが共有するＡＲＱ制御機７４０、ＡＲＱ状態管理部７５０、ＡＲＱタイマー７６０及びチャネル推定器７７０を備えて構成される。
【０１１１】
まず、送信部７００は、データ生成部７０１、チャネル符号器７０３、ＣＲＣ生成器７０５、変調器７０７、ＩＦＦＴ（Ｉｎｖｅｒｓｅ  Ｆａｓｔ  Ｆｏｕｒｉｅｒ  Ｔｒａｎｓｆｏｒｍ）演算器７０９、及びＲＦ処理器７１１を備えて構成される。
【０１１２】
データ生成部７０１は、第１データキュー７１３に格納されたデータとメッセージ生成器７１７で生成された制御メッセージとをＳＤＵ（Ｓｅｒｖｉｃｅ  Ｄａｔａ  Ｕｎｉｔ）生成器７１５で集めることにより、物理階層で送信するための一つのデータを生成する。ここで、メッセージ生成器７１７は、受信部７２０を介して端末から受信されたデータにエラーがないと、基地局に送信するためのＡＣＫ制御メッセージを生成する。一方、当該データにエラーが発生した場合には、メッセージ生成器７１７は、基地局に送信するためのＮＡＣＫメッセージを生成する。ここで、メッセージ生成器７１７は、エラー発生の有無を報告するために定義された物理チャネルに送信するためのＡＣＫ／ＮＡＣＫメッセージを生成するか、又は、ＡＣＫ／ＮＡＣＫ情報を含む制御メッセージ或いはＭＡＣサブヘッダ又はＭＡＣヘッダを生成する。このとき、ＡＣＫ／ＮＡＣＫメッセージ、制御メッセージ、ＭＡＣサブヘッダ、ＭＡＣヘッダは、ＡＣＫ／ＮＡＣＫ情報を送信する中継局のＩＤ情報、端末から受信されたデータブロックのうち、ＡＣＫ又はＮＡＣＫ情報に対応するデータブロックを区分するための固有のシーケンス値情報、シーケンス値に応じたデータブロックのＡＣＫ／ＮＡＣＫ情報を表す指示情報を含む。
【０１１３】
チャネル符号器７０３は、データ生成部７０１から受信したデータを、予め定められた変調水準（例：ＭＣＳレベル）に応じて符号化する。ＣＲＣ生成器７０５は、エラー検出コードを生成し、該生成されたコードを、チャネル符号器７０３から受信されたデータに追加して出力する。
【０１１４】
変調器７０７は、ＣＲＣ生成器７０５から受信されたエラー検出コードが追加されたデータを、該当変調水準（例：ＭＣＳレベル）に応じて変調して出力する。
【０１１５】
ＩＦＦＴ演算器７０９は、変調器７０７から受信された周波数領域データを逆高速フーリエ変換して時間領域信号に変換する。
【０１１６】
ＲＦ処理器７１１は、ＩＦＦＴ演算器７０９から受信されたベースバンド信号を高周波（Ｒａｄｉｏ  Ｆｒｅｑｕｅｎｃｙ）信号に変換し、該ＲＦ信号を、アンテナを介して基地局又は端末に送信する。
【０１１７】
次に、受信部７２０は、ＲＦ処理器７２１、ＦＦＴ（Ｆａｓｔ  Ｆｏｕｒｉｅｒ  Ｔｒａｎｓｆｏｒｍ）演算器７２３、復調器７２５、ＣＲＣ除去器７２７、チャネル復号器７２９、及びデータ処理部７３１を備えて構成される。
【０１１８】
ＲＦ処理器７２１は、基地局又は端末からアンテナを介して受信された高周波信号をベースバンド信号に変換して出力する。
【０１１９】
ＦＦＴ演算器７２３は、ＲＦ処理器７２１から受信された時間領域信号を高速フーリエ変換して、周波数領域信号に変換する。
【０１２０】
復調器７２５は、ＦＦＴ演算器７２３から受信された信号を、予め定められた変調水準に応じて復調して出力する。このとき、復調器７２５は、復調された信号をＣＲＣ除去器７２７とチャネル推定器７７０とに出力する。
【０１２１】
ＣＲＣ除去器７２７は、復調器７２５から受信された復調された信号のエラー検出コードを確認することにより、当該復調された信号のエラー発生の有無を判断する。このとき、ＣＲＣ除去器７２７は、復調器７２５から受信された信号から、エラー検出コードを除去する。
【０１２２】
チャネル復号器７２９は、ＣＲＣ除去器７２７から受信されたエラーのない信号を、該当変調水準に応じて復号して出力する。
【０１２３】
データ処理部７３１のＳＤＵ処理器７３５は、チャネル復号器７２９から受信された物理階層信号から、データと制御メッセージとを分離する。その後、ＳＤＵ処理器７３５は、データを第２データキュー７３７に提供して格納し、制御メッセージは、メッセージ処理部７３３に提供して復号して確認する。ここで、第１データキュー７１３と第２データキュー７３７とは、同じデータキューとすることも可能である。ここで、メッセージ処理部７３３は、基地局からＮＡＣＫメッセージが受信されると、ＡＲＱ制御機７４０にＮＡＣＫメッセージの受信を通知する。
【０１２４】
ＡＲＱ状態管理部７５０は、再送信されたデータに対するＡＲＱ状態を管理する。ＡＲＱタイマー７６０は、中継局の再送信のための有効時間（ｌｉｆｅ  ｔｉｍｅ）を管理する。
【０１２５】
ＡＲＱ制御機７４０は、ＡＲＱ状態管理部７５０及びＡＲＱタイマー７６０と連動して、中継局のＡＲＱにおける全般的な動作を制御する。このとき、ＡＲＱ制御機７４０は、送信部７００のデータ生成部７０１、チャネル符号器７０３及びＣＲＣ生成器７０５と通信しつつ、再送信を制御する。例えば、受信部７２０を介して基地局から再送信要請が受信されると、ＡＲＱ制御機７４０は、第１データキュー７１３に格納された端末から受信されたデータを、チャネル状態に応じて符号化し、エラー検出コードを挿入し、基地局に再送信されるように制御する。
【０１２６】
また、ＡＲＱ制御機７４０は、受信部７２０のデータ処理部７３１、チャネル復号器７２９及びＣＲＣ除去器７２７と通信しつつ、再送信を制御する。例えば、ＣＲＣ除去器７２７で受信データにおけるエラーが検知された場合に、ＡＲＱ制御機７４０は、基地局に送信するためのＮＡＣＫメッセージを生成するように、メッセージ生成器７１７を制御する。
【０１２７】
また、ＡＲＱ制御機７４０は、再送信手順を行っている最中に、ＡＲＱタイマー７６０から有効時間終了メッセージを受信すると、当該再送信手順を終了する。
【０１２８】
上述した実施の形態は、一つの中継局を用いて中継サービスを提供する無線通信システムを例に挙げて説明したが、多重ホップ中継方式の無線通信システムであっても、適用することができ、同様に動作できる。
【０１２９】
上述のように、本発明の実施の形態によれば、中継方式を使用する無線通信システムの中継局が、端末から受信したアップリンク信号に対するエラー発生の有無を基地局に報告して自動再送信要請（ＡＲＱ：Ａｕｔｏｍａｔｉｃ  Ｒｅｔｒａｎｓｍｉｓｓｉｏｎ  ｒｅＱｕｅｓｔ）を行うことによって、基地局が中継局からエラーのない信号のみを受信して、無線資源の浪費を減少することができるという利点がある。
【０１３０】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【０１３１】
【図１】従来の技術による無線通信システムの再送信手順を示す図である。
【図２】本発明の実施の形態による中継方式を使用する無線通信システムの構成を示す図である。
【図３】本発明の実施の形態による中継方式を使用する無線通信システムにおいてアップリンク信号を再送信するための手順を示す図である。
【図４】本発明の実施の形態による中継方式を使用する無線通信システムにおいてアップリンク信号を再送信するための基地局の動作手順を示す図である。
【図５】本発明の実施の形態による中継方式を使用する無線通信システムにおいてアップリンク信号を中継する中継局の動作手順を示す図である。
【図６】本発明の実施の形態による中継方式を使用する無線通信システムにおいてＡＣＫ／ＮＡＣＫ信号を送信するためのフレームの構成を示す図である。
【図７】本発明の実施の形態による中継方式を使用する無線通信システムにおける中継局のブロック構成を示す図である。
【図１】
2008211803.tif 000003
【図２】
2008211803.tif 000004
【図３】
2008211803.tif 000005
【図４】
2008211803.tif 000006
【図５】
2008211803.tif 000007
【図６】
2008211803.tif 000008
【図７】
2008211803.tif 000009